(57)【要約】エアコン室内機（１００）はハウジング（１）と、収集装置（２）と、昇降装置（３）とを含み、ハウジング（１）は胴体（１１）及びトップカバー（１２）を含み、胴体（１１）の頂部には嵌合口（１１１）を有し、トップカバー（１２）が嵌合口（１１１）に設けられ、収集装置（２）はトップカバー（１２）に設けられ、昇降装置（３）は、胴体（１１）内に位置決めされ、トップカバー（１２）を駆動して収容位置と検出位置との間を移動させるようにトップカバー（１２）に接続され、検出位置において、収集装置（２）がハウジング（１）の外部の情報を収集できる。【選択図】図１３
2021517622.tif 000002
【特許請求の範囲】
【請求項１】
ハウジングと、収集装置と、昇降装置とを含み、
前記ハウジングは胴体及びトップカバーを含み、前記胴体の頂部には嵌合口を有し、前記トップカバーが前記嵌合口に設けられ、
前記収集装置は前記トップカバーに設けられ、
前記昇降装置は、前記胴体内に位置決めされ、前記トップカバーを駆動して収容位置と検出位置との間を移動させるように前記トップカバーに接続され、
前記検出位置において、前記収集装置がハウジングの外部の情報を収集できることを特徴とするエアコン室内機。
【請求項２】
前記昇降装置は、前記収集装置を前記胴体の上方に位置させるように、前記トップカバーを駆動して前記胴体の上方に移動させることを特徴とする請求項１に記載のエアコン室内機。
【請求項３】
前記収集装置が前記トップカバーの内側壁に設けられることを特徴とする請求項１又は２に記載のエアコン室内機。
【請求項４】
前記収容位置において、前記トップカバーが前記胴体の頂部と同一平面に位置することを特徴とする請求項３に記載のエアコン室内機。
【請求項５】
前記昇降装置の頂部が前記トップカバーに嵌合されることを特徴とする請求項１〜４のいずれか一項に記載のエアコン室内機。
【請求項６】
前記トップカバーには位置決め穴が設けられ、前記昇降装置の頂部には位置決め柱が設けられ、前記位置決め柱が前記位置決め穴内まで延在することを特徴とする請求項５に記載のエアコン室内機。
【請求項７】
前記昇降装置は、
前記胴体内に位置決めされたモータと、
前記モータに嵌合されることにより、前記モータに駆動されて回転する歯車と、
前記歯車と噛み合い、前記トップカバーを駆動して移動させるように、上端が前記トップカバーに接続されるラックとを含むことを特徴とする請求項１〜６のいずれか一項に記載のエアコン室内機。
【請求項８】
前記昇降装置は２つであって、且つ前記トップカバーの左右両側に配置されることを特徴とする請求項７に記載のエアコン室内機。
【請求項９】
前記昇降装置はケースをさらに含み、前記モータ及び前記歯車が前記ケース内に収容され、前記ケースの頂部には開口が設けられ、前記ラックが前記開口を介して前記ケースから延出することができることを特徴とする請求項７又は８に記載のエアコン室内機。
【請求項１０】
摺動するように嵌合される第１の摺動部及び第２の摺動部をさらに含み、前記第１の摺動部が前記ハウジング内に位置決めされ、前記第２の摺動部が前記トップカバーに接続されることを特徴とする請求項１〜９のいずれか一項に記載のエアコン室内機。
【請求項１１】
前記第２の摺動部が前記第１の摺動部内まで延在することを特徴とする請求項１０に記載のエアコン室内機。
【請求項１２】
固定板をさらに含み、前記固定板が前記胴体の内周壁に設けられ、前記第１の摺動部が前記固定板に設けられることを特徴とする請求項１０又は１１に記載のエアコン室内機。
【請求項１３】
前記昇降装置が前記固定板に固定されることを特徴とする請求項１２に記載のエアコン室内機。
【請求項１４】
前記トップカバーの移動を案内するガイド板をさらに含み、前記ガイド板は前記トップカバーの外周縁から下向きに延び、前記嵌合口の内側に位置することを特徴とする請求項１〜１３のいずれか一項に記載のエアコン室内機。
【請求項１５】
前記収集装置はカメラであることを特徴とする請求項１〜１４のいずれか一項に記載のエアコン室内機。
【発明の詳細な説明】
【技術分野】
【０００１】
「関連出願の相互参照」
本願は、出願番号が２０１９１０１６８４８６．２で、出願日が２０１９年３月６日である中国特許出願、及び、出願番号が２０１９２０２８６５８７．５で、出願日が２０１９年３月６日である中国実用新案出願に基づき提出され、前記中国特許出願の優先権を主張し、前記中国特許出願の全ての内容が参照により本願に援用される。
【０００２】
本願は、空調設備の技術分野に関し、特に、エアコン室内機に関する。
【背景技術】
【０００３】
関連技術において、エアコン室内機は、通常、室内環境の温度、湿度等を調節するために用いられ、エアコン室内機の運転中に、収集装置により情報を収集することが一般的に必要である。しかしながら、収集装置は使用者のプライベート情報を漏らしやすいため、使用体験が効果の良いものではない。
【発明の概要】
【発明が解決しようとする課題】
【０００４】
本願は、少なくとも関連技術に存在する技術的問題の一つを解決することを目的としている。そこで、本願は、使用者の体験を向上させるエアコン室内機を提供する。
【課題を解決するための手段】
【０００５】
本願の実施例に係るエアコン室内機は、ハウジングと、収集装置と、昇降装置とを含み、前記ハウジングは胴体及びトップカバーを含み、前記胴体の頂部には嵌合口を有し、前記トップカバーが前記嵌合口に設けられ、前記収集装置は前記トップカバーに設けられ、前記昇降装置は、前記胴体内に位置決めされ、前記トップカバーを駆動して収容位置と検出位置との間を移動させるように前記トップカバーに接続され、前記検出位置において、前記収集装置がハウジングの外部の情報を収集できる。
【０００６】
本願の実施例に係るエアコン室内機によれば、収集装置を設けることにより、ハウジングの外部の情報の収集が容易になり、昇降装置を設けることによりトップカバーの収容位置と検出位置との間の移動を実現し、これによって収集装置による情報の収集が容易になるとともに、使用者のプライベート情報の安全性が保証され、使用者の体験が向上させる。
【０００７】
本願のいくつかの実施例によれば、前記昇降装置は、前記収集装置を前記胴体の上方に位置させるように、前記トップカバーを駆動して前記胴体の上方に移動させる。これにより、収集装置の収集視角が確保される。
【０００８】
本願のいくつかの実施例によれば、前記収集装置が前記トップカバーの内側壁に設けられることにより、収集装置が露出しないことが確保される。
【０００９】
本願のいくつかの実施例によれば、前記収容位置において、前記トップカバーが前記胴体の頂部と同一平面に位置することにより、収集装置が露出しないことがより一層確保される。
【００１０】
本願のいくつかの実施例によれば、前記昇降装置の頂部が前記トップカバーに嵌合されることにより、昇降装置とトップカバーとの着脱を容易にする。
【００１１】
本願のいくつかの実施例によれば、前記トップカバーには位置決め穴が設けられ、前記昇降装置の頂部には位置決め柱が設けられ、前記位置決め柱が前記位置決め穴内まで延在し、構造がシンプルであり、実現されやすい。
【００１２】
本願のいくつかの実施例によれば、前記昇降装置は、前記胴体内に位置決めされたモータと、前記モータに嵌合されることにより、前記モータに駆動されて回転する歯車と、前記歯車と噛み合い、前記トップカバーを駆動して移動させるように、上端が前記トップカバーに接続されるラックとを含む。これにより、トップカバーの移動が実現され、構造がシンプルであり、安定的に動作できる。
【００１３】
本願のいくつかの実施例によれば、前記昇降装置は２つであって、且つ前記トップカバーの左右両側に配置されることにより、トップカバーにかかる力はバランスがとれることが確保される。
【００１４】
本願のいくつかの実施例によれば、前記昇降装置はケースをさらに含み、前記モータ及び前記歯車が前記ケース内に収容され、前記ケースの頂部には開口が設けられ、前記ラックが前記開口を介して前記ケースから延出することができる。これにより、昇降装置のモジュール化された設計が実現されやすくなるとともに、ラックの順調な移動が確保される。
【００１５】
本願のいくつかの実施例によれば、前記エアコン室内機は、摺動するように嵌合される第１の摺動部及び第２の摺動部をさらに含み、前記第１の摺動部が前記ハウジング内に位置決めされ、前記第２の摺動部が前記トップカバーに接続されることにより、トップカバーの移動の安定性が確保される。
【００１６】
本願のいくつかの実施例によれば、前記第２の摺動部が前記第１の摺動部内まで延在することにより、トップカバーの移動の安定性がより一層保証される。
【００１７】
本願のいくつかの実施例によれば、前記エアコン室内機は固定板をさらに含み、前記固定板が前記胴体の内周壁に設けられ、前記第１の摺動部が前記固定板に設けられることにより、第１の摺動部の設置が容易になり、第１の摺動部の構造の簡素化が可能になる。
【００１８】
本願のいくつかの実施例によれば、前記昇降装置が前記固定板に固定されることにより、昇降装置の取り付けが容易になる。
【００１９】
本願のいくつかの実施例によれば、前記エアコン室内機は、前記トップカバーの移動を案内するガイド板をさらに含み、前記ガイド板は前記トップカバーの外周縁から下向きに延び、前記嵌合口の内側に位置する。これにより、トップカバーの位置の迅速な切り替えが可能になる。
【００２０】
本願のいくつかの実施例によれば、前記収集装置はカメラであり、ハウジングの外部の情報を収集できる。
【００２１】
本願の付加的な態様やメリットは、以下の説明に示される。それは、以下の説明によって明らかになり、本願を実施することで理解される。
【００２２】
本願の上記及び／又は付加的な態様やメリットは、以下の図面を結合した実施例の説明から明らかになり、容易に理解することができる。
【図面の簡単な説明】
【００２３】
【図１】図１は、本願の一実施例に係るエアコン室内機の正面図であり、そのうち、トップカバーが収容位置に位置する。
【図２】図２は、図１に示されるエアコン室内機の側面図である。
【図３】図３は、図１におけるＡ−Ａ線に沿う断面図である。
【図４】図４は、図３における円Ｂで指示される部分の拡大図である。
【図５】図５は、図１に示されるエアコン室内機の一部の構造模式図である。
【図６】図６は、図５における円Ｃで指示される部分の拡大図である。
【図７】図７は、図６に示される昇降装置の構造模式図である。
【図８】図８は、図７に示される昇降装置のもう一つの構造模式図である。
【図９】図９は、図７に示される昇降装置のさらにもう一つの構造模式図である。
【図１０】図１０は、図１に示されるエアコン室内機のもう一つの正面図であり、そのうち、トップカバーが検出位置に位置する。
【図１１】図１１は、図１０に示される空調装置の側面図である。
【図１２】図１２は、図１０におけるＤ−Ｄ線に沿う断面図である。
【図１３】図１３は、図１２における円Ｅで指示される部分の拡大図である。
【発明を実施するための形態】
【００２４】
以下、本願の実施例を詳細に説明し、当該実施例の例は図面の部分に示される。なお、一貫して同一又は類似する符号で、同一もしくは類似する部品又は同一もしくは類似の機能を有する部品を表す。以下の図面を参照して説明される実施例は例示的なもので、本願を解釈するためのものに過ぎず、本願を制限するためのものとして理解されるべきではない。
【００２５】
以下、図面を参照して本願の実施例に係るエアコン室内機１００を説明する。
【００２６】
図１、図６及び図１０に示すように、本願の実施例に係るエアコン室内機１００は、ハウジング１と、収集装置２と、昇降装置３とを含む。
【００２７】
ハウジング１は胴体１１及びトップカバー１２を含み、胴体１１の頂部には嵌合口１１１を有し、トップカバー１２が嵌合口１１１に設けられ、収集装置２がトップカバー１２に設けられ、昇降装置３は、胴体１１内に位置決めされ、且つ、トップカバー１２を駆動して収容位置と検出位置との間を移動させるようにトップカバー１２に接続され、検出位置において、収集装置２がハウジング１の外部の情報を収集できる。
【００２８】
エアコン室内機１００が動作する間、ハウジング１の外部の情報を収集する必要がある場合、昇降装置３の駆動によりトップカバー１２に検出位置へ移動させることにより、収集装置２はハウジング１の外部の情報を検出することができ、これによって収集装置２の収集視角が確保される。ハウジング１の外部の情報を収集する必要がない場合、昇降装置３の駆動によりトップカバー１２に収容位置へ移動させることにより、トップカバー１２及び収集装置２の収容を実現し、これによって使用者のプライベート情報の安全性が保証され、使用者の体験が向上する。
【００２９】
収集装置２はトップカバー１２に固定して設けられてもよく、これによってトップカバー１２は収容位置と検出位置との間を移動する時、収集装置２はトップカバー１２に同期して移動する。もう一例として、収集装置２はトップカバー１２に可動的に設けられてもよく、これによって収集装置２はトップカバー１２に同期して移動することも、トップカバー１２に同期して移動しないことも可能である。ただし、これらに限定されるものではない。
【００３０】
理解できることだろうが、収集装置２によって収集されるハウジング１の外部の情報は使用者個人の位置情報、室内空気質指数等の少なくとも一つを含むことができ、且つ、収集装置２によって収集される情報はエアコン室内機１００の動作モードの制御に利用されるか、又はエアコン室内機１００の表示装置に表示されることで使用者は当該情報を視覚的に取得できる。ただし、これらに限定されるものではない。
【００３１】
本願の実施例に係るエアコン室内機１００によれば、収集装置２を設けることにより、ハウジング１の外部の情報の収集が容易になり、収集された情報はエアコン室内機１００の動作の制御に利用されるか、又は表示装置によって使用者等に視覚的に表示することができる。昇降装置３を設けることによりトップカバー１２の収容位置と検出位置との間の移動を実現し、これによって収集装置２の移動が実現され、収集装置２による情報の収集が容易になり、収集装置２に良好な収集視角が保証されるとともに、収集装置２の収容が容易になり、使用者のプライベート情報の安全性が保証され、使用者の体験が向上し、またエアコン室内機１００は構造がシンプルであり、安定的に動作し信頼性が高い。
【００３２】
本願のいくつかの実施例において、昇降装置３は、収集装置２を胴体１１の上方に位置させるように、トップカバー１２を駆動して胴体１１の上方に移動させる。例えば、図１０及び図１３に示すように、嵌合口１１１の上側は開放され、トップカバー１２は上下方向に移動でき、且つ、昇降装置３はトップカバー２を駆動して胴体１１の上方に移動させることができ、これによって収集装置２を胴体１１の上方に位置させることが可能になり、胴体１１が収集装置２の収集視角を遮ることが避けられ、収集装置２の収集視角が保証されるとともに、胴体１１に専用の検出口を設ける必要がなく、胴体１１の加工プロセスの簡素化が図られる。
【００３３】
説明すべきこととして、方向「上」とは、エアコン室内機１００の正常使用時における「上」の方向を指すものであってもよい。本願の説明において、第１の特徴が第２の特徴の「上方」に位置することは、第１の特徴が第２の特徴の直上又は斜め上方に位置する場合を含み、又は第１の特徴は水平面から第２の特徴よりも高いことだけを表す。例えば、昇降装置３はトップカバー１２を駆動して胴体１１の上方に移動させることができ、そして、トップカバー１２を胴体１１の直上又は斜め上方に位置させることができる。
【００３４】
例えば、図１０及び図１３に示すように、昇降装置３がトップカバー１２を駆動して検出位置に移動させる場合、トップカバー１２は胴体１１の上方に位置することができ、そして、収集装置２は胴体１１の上方に位置することができ、ハウジング１の外部の情報の収集が容易になる。
【００３５】
理解できることだろうが、トップカバー１２が検出位置に移動する時、トップカバー１２は胴体１１の上方に位置しなくてもよい。例えば、胴体１１には貫通する検出口が形成されてもよく、トップカバー１２が検出位置に移動する時、収集装置２は検出口に向き合うと収集装置２によるハウジング１の外部の情報の収集が容易になり、そして、トップカバー１２は胴体１１の上端の下方に位置することができる。ただし、これに限定されるものではない。
【００３６】
本願のいくつかの実施例において、図１０及び図１３に示すように、収集装置２はトップカバー１２の内側壁（例えば、図４及び図１３中のトップカバー１２の下面）に設けられ、これによってトップカバー１２は収集装置２を遮蔽する役割を果たすことができ、そしてある程度で、収集装置２が露出しないことが保証される。
【００３７】
理解できることだろうが、収集装置２はトップカバー１２のその他の位置に設けられてもよく、ただしトップカバー１２が検出位置に位置する時、収集装置２はハウジング１の外部の情報を収集できることが保証されればよい。
【００３８】
例えば、図１及び図４に示される例において、収容位置において、トップカバー１２は胴体１１の頂部と同一平面に位置し、これによってハウジング１の外観は整然としており、良好な美観性を有し、且つ、トップカバー１２及び胴体１１はいずれも収集装置２を遮蔽することができ、これによって使用者はエアコン室内機１００の外では収集装置２を直接見ることができず、収集装置２が露出しないことがより一層保証され、プライベート情報の保護が実現されやすくなる。
【００３９】
本願のいくつかの実施例において、昇降装置３の頂部はトップカバー１２に嵌合され、これによって昇降装置３のトップカバー１２との着脱が容易になり、エアコン室内機１００の取外・組立効率が向上するとともに、トップカバー１２の外面に孔などを開ける必要がないため、トップカバー１２が整然としている外面を有することが保証される。
【００４０】
理解できることだろうが、昇降装置３の頂部とトップカバー１２はその他の方式で接続されてもよい。例えば、昇降装置３の頂部とトップカバー１２はねじ接続部品によって接続されてもよい。
【００４１】
例えば、図４及び図７に示される例において、トップカバー１２に位置決め穴１２１が設けられ、位置決め穴１２１はトップカバー１２の下面の一部が上向きに陥没することで形成されてもよく、昇降装置３の頂部に位置決め柱３０が設けられ、位置決め柱３０は昇降装置３の上面の一部が上向きに延在することで形成されてもよく、位置決め柱３０は位置決め穴１２１内まで延在し、これによって昇降装置３とトップカバー１２との嵌合が実現され、構造がシンプルであり、実現されやすい。
【００４２】
例えば、図４、図６及び図７に示される例において、昇降装置３の頂部に間隔をあけて２つの位置決め柱３０が配置されてもよく、トップカバー１２に２つの位置決め穴１２１が対応して設けられ、２つの位置決め穴１２１は２つの位置決め柱３０と一対一で対応してもよい。トップカバー１２を取り付ける際、各位置決め柱３０の少なくとも一部は位置決め穴１２１内まで延在することで位置決め柱３０と位置決め穴１２１の嵌合が実現され、トップカバー１２の位置の制限が実現されやすくなり、トップカバー１２が位置決め柱３０の軸方向の周りを回って昇降装置３に対して回転することが避けられ、これによってトップカバー１２の嵌合口１１１への迅速な取付けが容易になり、エアコン室内機１００の組立効率がより一層向上する。トップカバー１２を取り外す際、トップカバー１２を上向きに移動させて位置決め柱３０と位置決め穴１２１との嵌合を解除することにより、トップカバー１２の取り外しを実現でき、エアコン室内機１００の取外効率がより一層向上する。
【００４３】
当然ながら、昇降装置３の頂部に１つ、３つ、又３つ以上の位置決め柱３０が設けられてもよい。位置決め穴１２１の数量は位置決め柱３０の数量と同じであっても、異なっていてもよい。位置決め柱３０の横断面の形状は円形、多角形、又は楕円形等とすることができる。
【００４４】
本願のいくつかの実施例において、昇降装置３はモータ３１と、歯車３２と、ラック３３とを含み、モータ３１は胴体１１内に位置決めされ、歯車３２はモータ３１に嵌合されることでモータ３１の駆動により回転し、ラック３３は歯車３２と噛み合い、ラック３３の上端はトップカバー１２に接続されることでトップカバー１２の移動を駆動する。例えば、図４及び図７に示すように、モータ３１は胴体１１内に固定して取り付けられてもよく、ラック３３は上下方向に直線的に延在してもよい。モータ３１が動作すると歯車３２の回転を駆動してラック３３を動かしてラック３３の長さ方向に移動させることができ、これによってラック３３はトップカバー１２を動かして上下に移動させことで、トップカバー１２の収容位置と検出位置との間の移動が実現される。これにより、モータ３１、歯車３２及びラック３３を設けることにより、モータ３１の回転をラック３３の移動に変換し、これによってトップカバー１２の移動が実現され、且つ、構造がシンプルであり、安定的な動作が図られ、使用時に高い信頼性がある。ただし、歯車３２はモータ３１によって直接駆動されて回転することもできれば、モータ３１によって間接的に駆動されて回転することもできる。
【００４５】
理解できることだろうが、昇降装置３はトップカバー１２の移動を実現できるその他の装置とすることもでき、これに限定されるものではない。
【００４６】
例えば、図６及び図７に示すように、昇降装置３は２つ設けられ、且つ、２つの昇降装置３はトップカバー１２の左右両側に配置され、２つの昇降装置３はトップカバー１２の外周縁に隣接して設けられてもよく、２つの昇降装置３は同時にトップカバー１２の移動を駆動することができ、これによってトップカバー１２にかかる力はバランスが取れることが保証され、トップカバー１２の安定的な移動が保証されることを前提に、各昇降装置３のトップカバー１２を支持する力の大きさ及び支持される面積が低減され、さらに昇降装置３の強度に関する要件が緩和され、これとともに昇降装置３の使用するスペースが節約され、エアコン室内機１００の内部スペースの利用率の向上につながる。
【００４７】
説明すべきこととして、方向「左」、「右」はエアコン室内機１００の正常使用時に、使用者がエアコン室内機１００の前方に位置し且つエアコン室内機１００に向き合う時の、使用者の左側、右側をそれぞれ指してもよい。
【００４８】
理解できることだろうが、昇降装置３は３つ以上設けられてもよい。例えば、昇降装置３が３つ設けられる場合、３つの昇降装置３はトップカバー１２の周方向に間隔をあけて設けられてもよい。
【００４９】
例えば、昇降装置３はケース３４をさらに含み、モータ３１及び歯車３２はケース３４内に収容され、ケース３４の頂部に開口３４１が設けられ、ラック３３は開口３４１よりケース３４から延出することができる。例えば、図７〜図９に示すように、ケース３４内に取付けスペース３４０が画定されてもよく、モータ３１及び歯車３２はいずれも取付けスペース３４０内に取り付けられ、これによって水、ダスト等異物がモータ３１及び歯車３２の耐用年数に影響を与えることが避けられ、モータ３１及び歯車３２を保護する役割が果たされるとともに、昇降装置３は一体的に形成されてもよいため、昇降装置３のモジュール化された設計は実現されやすくなる。開口３４１がケース３４の頂壁を通すことで、取付けスペース３４０は開口３４１を介して外部環境に連通することができ、これによってラック３３の上端のトップカバー１２への接続が容易になるととともに、ラック３３の順調な移動が保証され、ケース３４がラック３３に干渉することが避けられる。
【００５０】
図７に示される例において、ケース３４の底部に貫通孔３４２がさらに形成されてもよく、貫通孔３４２がケース３４の底壁を通すことで、取付けスペース３４０は貫通孔３４２を介して外部環境に連通することができ、貫通孔３４２は開口３４１と上下に対向して設けられてもよく、ラック３３の下端は貫通孔３４２よりケース３４から延出することができ、ラック３３の長さはケース３４に制限されないよう長めに設定されてもよく、ラック３３に十分な移動距離が保証され、これによってトップカバー１２が収容位置と検出位置との間を移動することが保証され、収集装置２によるハウジング１の外部の情報の収集が容易になる。
【００５１】
本願のいくつかの実施例において、エアコン室内機１００は摺動するように嵌合される第１の摺動部４１及び第２の摺動部４２をさらに含み、第１の摺動部４１はハウジング１内に位置決めされ、第２の摺動部４２はトップカバー１２に接続される。例えば、図４、図６及び図１３に示すように、以下のように構成されてもよい。第１の摺動部４１は胴体１１内に固定して設けられ、第２の摺動部４２の上端はトップカバー１２に接続され、第１の摺動部４１及び第２の摺動部４２はいずれも上下方向に延在し、第１の摺動部４１は摺動して第２の摺動部４２に嵌合され、第１の摺動部４１及び第２の摺動部４２は上下方向に相対的に移動することにより、第１の摺動部４１と第２の摺動部４２の上下方向に重なる部分の長さが変更され、これによって第１の摺動部４１と第２の摺動部４２によって構成される摺動部４の長さが変更される。例えば、第１の摺動部４１及び第２の摺動部４２は上下方向に対向して運動することで摺動部４の長さを短縮するか、又は第１の摺動部４１及び第２の摺動部４２は上下方向に背中合わせに運動して摺動部４の長さを増加することができる。これにより、トップカバー１２が収容位置と検出位置との間を移動する過程において、第２の摺動部４２が第１の摺動部４１に対して上下に摺動すると、トップカバー１２の位置の制限、トップカバー１２の移動方向の制限がより一層実現され、トップカバー１２の移動の安定性が保証される。
【００５２】
本願のいくつかの実施例において、第２の摺動部４２は第１の摺動部４１内まで延在し、これによって第１の摺動部４１が摺動して第２の摺動部４２に嵌合されることの安定性がより一層保証され、トップカバー１２の移動の安定性がより一層保証される。例えば、図４、図６及び図１３に示される例において、第２の摺動部４２は柱状構造として形成されてもよく、第１の摺動部４１は筒状構造として形成されてもよく、第２の摺動部４２の下端は第１の摺動部４１内まで下向きに延在し、これによって第１の摺動部４１及び第２の摺動部４２は構造がシンプルになり、実現されやすくなる。
【００５３】
図６に示される例において、第１の摺動部４１及び第２の摺動部４２はそれぞれ４つ設けられ、４つの第２の摺動部４２はトップカバー１２の外周縁に隣接して設けられ、且つ、４つの第２の摺動部４２は正方形をなすように配置されるように構成されてもよい、即ち４つの第２の摺動部４２のうちの２つはトップカバー１２の前側に位置し、残りの２つはトップカバー１２の裏側に位置し、且つ、４つの第２の摺動部４２の前記２つは左右に間隔をあけて設けられ、前記残りの２つも左右に間隔をあけて設けられるように構成されてもよい。これにより、トップカバー１２の移動の安定性が向上する。
【００５４】
当然ながら、第１の摺動部４１及び第２の摺動部４２はそれぞれ１つ、２つ、３つ、又は４つ以上設けられてもよい。第１の摺動部４１の数量は第２の摺動部４２の数量と同じであっても、異なっていてもよい。
【００５５】
本願のいくつかの実施例において、エアコン室内機１００は固定板５をさらに含み、固定板５は胴体１１の内周壁に設けられ、第１の摺動部４１は固定板５に設けられ、これによって第１の摺動部４１を設けることが容易になり、第１の摺動部４１の構造の簡素化が可能になる。例えば、図４、図６及び図１３に示すように、固定板５は胴体１１の上端の下方に位置し、且つ、固定板５が胴体１１の上端に隣接して設けられてもよく、これによってある程度で、第１の摺動部４１及び第２の摺動部４２の上下方向における長さを適宜低減し、コストを削減することができる。固定板５は胴体１１の内周壁の一部が内向きに延在することで形成されてもよく、これによって固定板５は環状又は不完全環状に形成され、固定板５は水平に設けられてもよく、第１の摺動部４１は固定板５の上面に設けられ、第１の摺動部４１は固定板５の上面の一部が上向きに延在することで形成されてもよく、これにより、第１の摺動部４１は構造がシンプルになり、加工が容易になる。
【００５６】
説明すべきこととして、方向「内」とは、エアコン室内機１００の中心軸線に接近する方向を指してもよい。「不完全環状」とは、切込み部を有する環状（即ち非閉鎖の環状）を指し、ただし、「環状」は広い意味で理解されるものであり、即ち「円環状」に限定されず、例えば「多角形環」等とすることもできる。
【００５７】
例えば、図６及び図１３に示される例において、昇降装置３は固定板５に固定され、固定板５に取付けスポット５１が形成されてもよく、昇降装置３は取付けスポット５１に対応して取り付けられてもよく、これによって昇降装置３の取り付けが実現しやすくなる。固定板５が胴体１１の上端に隣接して設けられる場合、昇降装置３とトップカバー１２との間の距離が短くなり、これによって昇降装置３がトップカバーの移動を安定的に駆動することは可能になる。
【００５８】
図６及び図１３に示すように、取付けスポット５１は略凹溝として形成され、且つ、取付けスポット５１は固定板５の下面が上向きに陥没することで形成されてもよく、取付けスポット５１の頂壁に貫通される取付け口が形成され、取付け口は固定板５の内周縁まで通し、昇降装置３は取付け口に嵌合され、且つ、固定板５の周方向に、昇降装置３の両端にそれぞれ取付け部３４３を有し、取付け部３４３はサポートアセンブリとして形成されてもよく、取付け部３４３はいずれも取付けスポット５１に嵌合され、且つ、取付け部３４３は取付けスポット５１に固定して接続され、これによって昇降装置３の取り付けが実現される。
【００５９】
本願のいくつかの実施例において、図４及び図１３に示すように、エアコン室内機１００はトップカバー１２の移動を案内するためのガイド板６をさらに含み、ガイド板６はトップカバー１２の外周縁より下向きに延在し、ガイド板６は環状又は不完全環状に形成されてもよく、ガイド板６は嵌合口１１１の内側に位置し、トップカバー１２が移動する過程において、ガイド板６は案内の役割を果たすことができ、これによってトップカバー１２が迅速に移動して位置の切り替えが実現されるとともに、トップカバー１２の強度が向上し、トップカバー１２の使用上の信頼性が保証される。
【００６０】
ただし、ガイド板６とトップカバー１２は一体成形されてもよく、これによってガイド板６のトップカバー１２における位置決め精度が保証され、ガイド板６及びトップカバー１２の成形効率が向上し、組立工程が省略され、エアコン室内機１００の組立効率が向上するとともに、ガイド板６及びトップカバー１２に接続孔等を加工する必要がないため、ガイド板６及びトップカバー１２の構造の簡素化が図られ、加工が容易になる。
【００６１】
理解できることだろうが、ガイド板６は環状に形成されてもよく、そしてガイド板６には収集装置２に向き合う回避口が形成されてもよく、これによって収集装置２による情報の収集が容易になる。ただしこれに限定されるものではない。トップカバー１２が検出位置に移動する時、トップカバー１２が胴体１１の上方に位置するのであれば、ガイド板６の上端が胴体１１の上方に位置し、ガイド板６の底端は胴体１１の上端の上方に位置する、又は胴体１１の上端と同一平面に位置する、又は胴体１１の上端の下方に位置することができる。ただし、トップカバー１２が検出位置に移動し、且つ、ガイド板６の底端は胴体１１の上端の上方に位置しないのであれば、ガイド板６は胴体１１の内部構造を効果的に遮蔽することにより、ハウジング１の美観性が保証され、胴体１１の内部の清潔性が保証される。
【００６２】
例えば、収集装置２はカメラであり、カメラは映像の撮影、伝送及び静的画像の捕捉等のために用いることができ、これによってカメラはハウジング１の外部を録画することで、監視の役割を果たすことができ、使用者は安全保障作業を行うことができる。理解できることだろうが、カメラは室内にいる使用者の個人の位置情報を取得するために用いることもできる。
【００６３】
当然ながら、収集装置２はその他の装置、例えば赤外線装置等とすることもできる。
【００６４】
エアコン室内機１００が空調装置に適用される場合、空調装置のタイプは壁掛け型、又は床置き型等とすることができる。
【００６５】
本願の実施例に係るエアコン室内機１００のその他の構成及び操作は、当業者にとって自明なことであるため、ここで詳細な説明は省略される。
【００６６】
以下、図面を参照して一つの具体的な実施例を用いて本願の実施例に係るエアコン室内機１００を詳細に説明する。なお、後述する説明は例示的なものに過ぎず、本願に具体的な制限を加えるためのものではない。
【００６７】
図１、図６及び図１０に示すように、エアコン室内機１００はハウジング１と、収集装置２と、昇降装置３とを含む。ハウジング１内に室内熱交換モジュール１００ａ及び空気処理モジュール１００ｂが設けられてもよく、室内熱交換モジュール１００ａ及び空気処理モジュール１００ｂは上下方向に間隔をあけて設けられてもよく、室内熱交換モジュール１００ａと空気処理モジュール１００ｂとの間に中間支持モジュール１００ｃが設けられてもよい。エアコン室内機１００は室内空気の温度、湿度等を調節するだけでなく、室内空気を浄化することもできる。
【００６８】
室内熱交換モジュール１００ａは室内ファン及び室内熱交換器を含み、ハウジング１に取入口及び吹出口が形成され、ハウジング１内には取入口及び吹出口のいずれにも連通する熱交換風道が画定され、室内ファン及び室内熱交換器はいずれもハウジング１内に設けられる。空気処理モジュール１００ｂはガイドファン及び浄化モジュールを含み、ハウジング１に空気入口及び空気出口が形成され、ハウジング１内にはさらに、空気入口及び空気出口のいずれにも連通する空気処理風道が画定され、空気処理風道は室内熱交換モジュール１００ａ内の熱交換風道と隔たって設けられてもよく、これによって空気入口から空気処理風道内に流入される空気は熱交換風道内に流入することなく、これによって空気処理モジュール１００ｂが室内熱交換モジュール１００ａの熱交換効率に影響を与えることは避けられ、エアコン室内機１００の冷房／暖房効率が保証される。
【００６９】
室内熱交換モジュール１００ａが動作すると、室内ファンは動作して取入口に負圧を生じさせ、空気は取入口から熱交換風道内に流入し、室内ファンの駆動により室内熱交換器と熱交換を行い、熱交換された空気は吹出口から流出し、このように室内温度を調節する。空気処理モジュール１００ｂが動作すると、ガイドファンが動作して空気入口に負圧を生じさせ、空気（室内空気及び／又は室外空気を指す）は空気入口から空気処理風道内に流入し、浄化モジュールを通すことができ、空気が浄化モジュールを通す時、空気中のダスト粒子は浄化モジュールに付着し、これによって空気の浄化が実現され、浄化された空気は空気出口から室内に流入し、これによって使用者の健康が保証され、室内の快適性が向上する。
【００７０】
図４、図６及び図１３に示すように、ハウジング１は胴体１１及びトップカバー１２を含み、胴体１１の頂部に嵌合口１１１を有し、嵌合口１１１の上側は開放され、トップカバー１２は嵌合口１１１に設けられ、収集装置２はトップカバー１２の下面に固定して設けられ、昇降装置３は胴体１１内に位置決めされ、昇降装置３の頂部はトップカバー１２に嵌合され、昇降装置３はトップカバー１２が収容位置（図４参照）と検出位置（図１３参照）との間を移動するように駆動する。検出位置は収容位置の直上に位置し、トップカバー１２が検出位置に移動する時、トップカバー１２は胴体１１の上方に位置し、そして収集装置２は胴体１１の上方に位置しハウジング１の外部の情報を収集し、トップカバー１２が収容位置に移動する時、トップカバー１２は胴体１１の頂部と同一平面に位置し、そして収集装置２は胴体１１内に位置し、且つ、収集装置２が胴体１１によって遮蔽される。なお、収集装置２はカメラである。
【００７１】
昇降装置３は２つ設けられ、２つの昇降装置３はトップカバー１２の左右両側に配置され、且つ、各昇降装置３はトップカバー１２の外周縁に隣接して設けられ、各昇降装置３はモータ３１と、歯車３２と、ラック３３と、ケース３４とを含み、ケース３４は胴体１１内に位置決めされ、モータ３１及び歯車３２はケース３４内に収容され、歯車３２はモータ３１に嵌合されることでモータ３１の駆動により回転し、ラック３３は歯車３２と噛み合い、ラック３３は鉛直方向に直線的延在し、ケース３４の頂部に開口３４１が設けられ、ケース３４の底部に貫通孔３４２が形成され、ラック３３の上端は開口３４１よりケース３４から延出することができ、ラック３３の底端は貫通孔３４２よりケース３４から延出することができる。ラック３３の上端に支持部品３５が設けられ、これによってラック３３の上端は支持部品３５によってトップカバー１２に接続されることでトップカバー１２の移動を駆動できるとともに、ラック３３のトップカバー１２に与える作用力の対象範囲の面積を増加することにより、支持部品３５が良好な支持の役割を果たすことが保証され、ケース３４の上面における支持部品３５の投影面積はケース３４の上面における開口３４１の投影面積よりも大きく、且つ、支持部品３５の長さＬ１は開口３４１の対応する方向における長さＬ２よりも大きく、これによって支持部品３５は位置を制限する役割を果たすことができる。
【００７２】
図４及び図７に示すように、トップカバー１２に位置決め穴１２１が設けられ、支持部品３５の頂部に間隔をあけて２つの位置決め柱３０が設けられ、各位置決め柱３０は位置決め穴１２１内まで上向きに延在し、これによって支持部品３５とトップカバー１２との嵌合が実現される。
【００７３】
図４、図６及び図１３に示すように、エアコン室内機１００は摺動部４と、固定板５と、ガイド板６とをさらに含み、摺動部４は４つ設けられ、且つ、４つの摺動部４は正方形をなすように配置され、固定板５は胴体１１の上端の下方に水平に配置され、且つ、固定板５が胴体１１の内周壁に設けられ、ガイド板６はトップカバー１２の外周縁より下向きに延在し、ガイド板６は嵌合口１１１の内側に位置し、トップカバー１２の移動を案内するために用いられ、且つ、トップカバー１２が検出位置に移動する時、ガイド板６の底端は胴体１１の上端の下方に位置する。ケース３４が固定板５に固定されることで、昇降装置３の取り付けが実現され、各摺動部４は摺動するように嵌合される第１の摺動部４１及び第２の摺動部４２を含み、第１の摺動部４１は固定板５の上面に設けられ、且つ、第１の摺動部４１がハウジング１内に位置し、第１の摺動部４１は筒状構造として形成され、第２の摺動部４２はトップカバー１２の下端に設けられ、且つ、第２の摺動部４２がトップカバー１２に接続され、第２の摺動部４２は柱状構造として形成されてもよく、且つ、第２の摺動部４２が第１の摺動部４１内まで延在する。
【００７４】
エアコン室内機１００が動作する時、収集装置２をオンにすると、昇降装置３は動作してトップカバー１２が検出位置に移動するように駆動し、そしてトップカバー１２は胴体１１の上方に位置し、収集装置２も胴体１１の上方に位置し、収集装置２は例えば録画等により、ハウジング１の外部の情報を収集できる。収集装置２をオフにすると、昇降装置３は動作してトップカバー１２が収容位置に移動するように駆動し、そしてトップカバー１２は胴体１１の頂部と同一平面に位置し、収集装置２は胴体１１内に位置し、且つ、トップカバー１２によって遮蔽され、これによって収集装置２が露出しないことが実現される。
【００７５】
本願に係るエアコン室内機１００によれば、収集装置２を設けることにより、ハウジング１の外部の情報の収集が容易になり、収集された情報はエアコン室内機１００の動作の制御に利用されるか、又は表示装置によって使用者等に視覚的に表示することができ、昇降装置３を設けることによりトップカバー１２の収容位置と検出位置との間の移動を実現し、これによって収集装置２の移動が実現され、収集装置２による情報の収集が容易になり、収集装置２に良好な収集視角が保証され、構造がシンプルであり、安定的に動作し信頼性が高い。
【００７６】
本発明の説明において、理解すべきこととして、「中心」、「縦方向」、「横方向」、「長さ」、「上」、「下」、「前」、「後」、「左」、「右」、「鉛直」、「水平」、「頂」、「底」、「内」、「外」、「軸方向」、「半径方向」、「周方向」等用語で指示される方位又は位置関係は、図面に示される方位又は位置関係に準じるものであり、本願の説明の便宜上及び説明の簡素化のためのものに過ぎず、対象となる装置又は部品は必ず特定の方位に設けられ、特定の方位で構成・操作されなければならないことを指示するかそれを示唆するものではなく、従って本願に対する制限として理解されるべきではない。
【００７７】
本願の説明において、説明すべきこととして、明確な規定及び限定がない限り、「取り付ける」、「接続」、「連結」という用語は広い意味で理解されるものである。例えば、固定して接続されることであってもよければ、取り外し可能な接続、又は一体的な接続であってもよい。機械的な接続であってもよければ、電気的接続であってもよい。直接的な接続であってもよければ、中間的な媒介を介する間接的な接続であってもよく、なお２つの部品が内部に連通することとすることもできる。当業者であれば、具体的な状況によって上記用語の本願での具体的な意味を理解することができる。
【００７８】
本明細書の説明において、「１つの実施例」、「いくつかの実施例」、「例示的な実施例」、「例」、「具体例」、又は「いくつかの例」等用語が含まれた説明は、当該実施例又は例を用いて説明される具体的な特徴、構造、材料又は利点は本願の少なくとも１つの実施例又は例に含まれることが意図されるものである。本明細書において、上記用語に関する例示的な表現は、必ずしも同一の実施例又は例を指すものとは限らない。また、説明される具体的な特徴、構造、材料又は利点はいずれか１つ又は複数の実施例もしくは例で、適切な方式で組み合わせることができる。
【００７９】
本願の実施例を示す上にそれを説明しているが、当業者であれば理解できるように、本願の原理及び趣旨を逸脱しないことを前提として、なおもこれらの実施例に対して様々な変更、修正、置換及び変形を行うことができ、本願の範囲は特許請求の範囲及びそれと同等なものによって限定される。
【符号の説明】
【００８０】
１００  エアコン室内機
１００ａ  室内熱交換モジュール
１００ｂ  空気処理モジュール
１００ｃ  中間支持モジュール
１  ハウジング
１１  胴体
１１１  嵌合口
１２  トップカバー
１２１  位置決め穴
２  収集装置
３  昇降装置
３０  位置決め柱
３１  モータ
３２  歯車
３３  ラック
３４  ケース
３４０  取付けスペース
３４１  開口
３４２  貫通孔
３４３  取付け部
３５  支持部品
４  摺動部
４１  第１の摺動部
４２  第２の摺動部
５  固定板
５１  取付けスポット
６  ガイド板
【図１】
2021517622.tif 000003
【図２】
2021517622.tif 000004
【図３】
2021517622.tif 000005
【図４】
2021517622.tif 000006
【図５】
2021517622.tif 000007
【図６】
2021517622.tif 000008
【図７】
2021517622.tif 000009
【図８】
2021517622.tif 000010
【図９】
2021517622.tif 000011
【図１０】
2021517622.tif 000012
【図１１】
2021517622.tif 000013
【図１２】
2021517622.tif 000014
【図１３】
2021517622.tif 000015
【国際調査報告】
2021517622.tif 000016
2021517622.tif 000017
2021517622.tif 000018
2021517622.tif 000019
2021517622.tif 000020
2021517622.tif 000021